(57)【要約】  本発明に係るピーク検出方法は、ピーク検出対象のデータから第１検出感度で1又は複数のピークを検出する第１ピーク検出ステップ（Ｓ１）と、前記データから、前記第１検出感度とは異なる第２検出感度で1又は複数のピークを検出する第２ピーク検出ステップ（Ｓ５）を有する。この方法によれば、検出感度が異なる2種の検出を行うため、一方では検出されて他方では検出されないピークからショルダーピーク（又はショルダーピークではない）候補を抽出することができ、それによりショルダーピークを適切且つ容易に検出することができる。
2017168682.tif 000002
【特許請求の範囲】
【請求項１】
ピーク検出対象のデータから第１検出感度で1又は複数のピークを検出する第１ピーク検出ステップと、
前記データから、前記第１検出感度とは異なる第２検出感度で1又は複数のピークを検出する第２ピーク検出ステップと
を有することを特徴とするピーク検出方法。
【請求項２】
前記第２検出感度が前記第１検出感度よりも高いことを特徴とする請求項１に記載のピーク検出方法。
【請求項３】
前記第２ピーク検出ステップで検出された1又は複数のピークから、前記第１ピーク検出ステップでは検出されていないピークを抽出するショルダーピーク候補抽出ステップを有することを特徴とする請求項２に記載のピーク検出方法。
【請求項４】
前記第２検出感度が前記第１検出感度よりも低いことを特徴とする請求項１に記載のピーク検出方法。
【請求項５】
前記第１ピーク検出ステップで検出された1又は複数のピークから、前記第２ピーク検出ステップでは検出されていないピークを抽出するショルダーピーク除外候補抽出ステップを有することを特徴とする請求項４に記載のピーク検出方法。
【請求項６】
第１検出感度及び第２検出感度のいずれか一方又は両方が、ユーザが設定可能であることを特徴とする請求項１〜５のいずれかに記載のピーク検出方法。
【請求項７】
ピーク検出対象のデータから第１検出感度で1又は複数のピークを検出する第１ピーク検出部と、
前記データから、前記第１検出感度とは異なる第２検出感度で1又は複数のピークを検出する第２ピーク検出部と
を有することを特徴とするデータ処理装置。
【発明の詳細な説明】
【技術分野】
【０００１】
本発明は、例えばクロマトグラフで得られるクロマトグラムや、質量分析装置や分光装置等で得られるスペクトルからピークを検出する方法及び該方法を実行するデータ処理装置に関する。
【背景技術】
【０００２】
試料に含まれる成分を分析する装置の１つにクロマトグラフがある。クロマトグラフでは試料を移動相の流れに乗せてカラムに導入し、カラム内で試料中の各成分を時間的に分離した後、検出器で検出してクロマトグラムを作成する。そして、クロマトグラム上のピーク位置から各成分を同定し、ピーク高さや面積から当該成分の濃度を決定する（例えば特許文献１）。【０００３】
試料が保持時間の近い複数の成分を含有していると、クロマトグラムでは各成分に対応した複数のピークが重なる場合がある。図５(a)及び(b)に、そのようなクロマトグラムの例を示す。図中の破線は2個のピークがそれぞれ単独で存在するとした場合のクロマトグラムのプロファイルを示し、実線はそれら2個のピークが重なったクロマトグラムのプロファイルを示している。(a)と(b)では、2個のピークのそれぞれのプロファイルは同じであるが、保持時間の差は(a)よりも(b)の方が小さい。(a)では、2個のピークが重なりながらもそれぞれのピークトップが現れている。それに対して(b)では、小さい方のピークのピークトップ付近（図中に符号９１を付したところ）にプロファイルのうねりが見られるものの、プロファイル全体のピークトップから離れるに従ってクロマトグラムが単調に減少しており、小さい方のピークを明瞭には見出し難い。このように、複数のピークが重なりながらも該複数のピークのピークトップから単調減少しているところにあるピークを、本明細書では「ショルダーピーク」と呼ぶ。
【先行技術文献】
【特許文献】
【０００４】
【特許文献１】特開平07-098270号公報
【特許文献２】特開2015-049136号公報
【発明の概要】
【発明が解決しようとする課題】
【０００５】
クロマトグラムのデータを処理する装置やプログラムの多くでは、クロマトグラムからＳ／Ｎ（信号／ノイズ）比が所定の閾値以上であるピークを自動で検出する操作を行う（例えば特許文献２参照）。ここで、Ｓ／Ｎ比を低くすることによりショルダーピークを検出することができるようになるが、閾値を低くし過ぎると、ノイズをピークとして誤検出するおそれがある。真のピークとノイズは目視で区別できる場合が多いものの、誤検出されたピークが多数存在すると、真のピークとの区別の作業に手間を要する。一方、Ｓ／Ｎ比の閾値を高くすると、ショルダーピークを検出することができなくなるおそれがある。【０００６】
ここまではクロマトグラムについて説明したが、クロマトグラフと組み合わせて用いられる質量分析装置で得られるマススペクトルや分光装置で得られる光のスペクトル等においても同様の問題が生じる。【０００７】
本発明が解決しようとする課題は、ショルダーピークを検出するのに適したピーク検出方法及びデータ処理装置を提供することである。
【課題を解決するための手段】
【０００８】
上記課題を解決するために成された本発明に係るピーク検出方法は、
ピーク検出対象のデータから第１検出感度で1又は複数のピークを検出する第１ピーク検出ステップと、
前記データから、前記第１検出感度とは異なる第２検出感度で1又は複数のピークを検出する第２ピーク検出ステップと
を有することを特徴とする。【０００９】
本発明に係るピーク検出方法では、第２ピーク検出ステップにおいて、第１ピーク検出ステップにおける第１検出感度とは異なる第２検出感度でピークを検出する。第２検出感度を第１検出感度よりも高くした場合には、第２ピーク検出ステップにおいて、第１ピーク検出ステップでは検出されなかったピークを検出することができ、それにより、ショルダーピークの検出が容易になる。一方、第２検出感度を第１検出感度よりも低くした場合には、第２ピーク検出ステップにおいて、第１ピーク検出ステップでは検出されたピークの一部が検出されなくなり、それにより、ノイズ等をショルダーピークと誤認して検出したものを除外することができる。【００１０】
前記第２検出感度を前記第１検出感度よりも高くした場合において、前記第２ピーク検出ステップで検出された1又は複数のピークから、前記第１ピーク検出ステップでは検出されていないピークを抽出するショルダーピーク候補抽出ステップを有する、という構成を取ることができる。この構成によれば、ショルダーピーク候補抽出ステップにおいて、より高い第２検出感度を用いた第２ピーク検出ステップで検出された1又は複数のピークから、相対的に低い第１検出感度で検出された識別容易なピークは除外され、第１ピーク検出ステップでは検出されていないピークが抽出される。これにより、ショルダーピークである可能性があるピークであるショルダーピーク候補が得られる。こうして得られたショルダーピーク候補には、真のショルダーピークの他にノイズ等が含まれ得るが、候補が絞り込まれているため、真のショルダーピークとノイズ等の選別の作業が容易になる。【００１１】
また、前記第２検出感度を前記第１検出感度よりも低くした場合において、前記第１ピーク検出ステップで検出された1又は複数のピークから、前記第２ピーク検出ステップでは検出されていないピークを抽出するショルダーピーク除外候補抽出ステップを有する、という構成を取ることもできる。この構成によれば、ショルダーピーク除外候補抽出ステップにおいて、より高い第１検出感度を用いた第１ピーク検出ステップで検出された1又は複数のピークから、相対的に低い第２検出感度で検出された識別容易なピークは除外され、第２ピーク検出ステップでは検出されていないピークが抽出される。これにより、ショルダーピークではなくノイズ等である可能性があるショルダーピーク除外候補が得られる。ショルダーピーク除外候補には真のショルダーピークが含まれ得るが、候補が絞り込まれているため、真のショルダーピークとノイズ等の選別の作業が容易になる。【００１２】
本発明に係るピーク検出方法において、第１検出感度及び第２検出感度のいずれか一方又は両方は、ユーザが設定可能であることが望ましい。これにより、ユーザがショルダーピーク候補の抽出結果を見ながら第１検出感度及び第２検出感度を適宜変更し、それによって真のショルダーピークの抽出をより容易に行うことができる。【００１３】
本発明に係るデータ処理装置は、
ピーク検出対象のデータから第１検出感度で1又は複数のピークを検出する第１ピーク検出部と、
前記データから、前記第１検出感度とは異なる第２検出感度で1又は複数のピークを検出する第２ピーク検出部と、
を有することを特徴とする。これら各部はコンピュータの中央演算装置（ＣＰＵ）、メモリ、ソフトウエア等により具現化される。
【発明の効果】
【００１４】
本発明によれば、検出感度が異なる2種の検出を行うため、一方では検出されて他方では検出されないピークからショルダーピーク（又はショルダーピークではない）候補を抽出することができ、それによりショルダーピークを適切且つ容易に検出することができるようになる。
【図面の簡単な説明】
【００１５】
【図１】本発明に係るデータ処理装置の一実施形態を示す概略構成図。
【図２】本発明に係るピーク検出方法の一実施形態を示すフローチャート。
【図３】第１検出感度でピークを検出した例を示す表示装置の画面の図。
【図４】第２検出感度でピークを検出した例を示す表示装置の画面の図。
【図５】2個のピークが重なったクロマトグラムのプロファイルの例を示す図。
【発明を実施するための形態】
【００１６】
図１〜図４を用いて、本発明に係るピーク検出方法及びデータ処理装置の実施形態を説明する。本実施形態では、図１に示すデータ処理装置１０を用いて、図２に示すフローチャートに示す手順でクロマトグラムからショルダーピーク候補の抽出を行う。
【００１７】
本実施形態のデータ処理装置１０は、データ記録部１、入力装置３及び表示装置２と共に用いられる。データ記録部１は、液体クロマトグラフやガスクロマトグラフ等が有する検出器によって測定時に得られたデータを記録する装置であり、ハードディスクやメモリ等から成る。データ記録部１は、図１に示した例ではデータ処理装置１０の外に設けているが、データ処理装置１０内に設けてもよい。表示装置２は、データ処理装置１０によるデータ処理中の情報やデータ処理の結果を表示するディスプレイである。入力装置３は、ユーザが後述の必要な情報をデータ処理装置１０に入力するための装置であって、キーボードやマウス等から成る。
【００１８】
データ処理装置１０は、クロマトグラム作成部１１、第１ピーク検出部１２、第２ピーク検出部１３、ショルダーピーク候補・除外候補抽出部１４及び検出感度入力部１５を有する。これら各部は、実際にはコンピュータのＣＰＵやメモリ等のハードウエア、及びソフトウエアにより具現化されている。以下、図２のフローチャート、並びに図３及び図４に示した表示装置に表示されるウインドウ２０を参照しつつ、データ処理装置１０の各部の機能、及び本実施形態のピーク検出方法について説明する。なお、以下ではクロマトグラムのショルダーピーク候補を抽出する場合を例に説明するが、特記する点を除いて、スペクトルのショルダーピーク候補を抽出する場合も同様である。
【００１９】
ピーク検出の処理の前に、クロマトグラム作成部１１は、データ記録部１からデータを取得して、従来と同様の方法によりクロマトグラムを作成する。スペクトルのピークについて処理を行う場合には、クロマトグラムを作成する操作は不要であり、データ記録部１からデータを取得するだけでよい。
【００２０】
まず、ステップＳ１において、第１ピーク検出部１２は、作成されたクロマトグラムから第１の検出感度でピークの検出を行う。第１の検出感度は、Ｓ／Ｎ比の数値で設定される。第１の検出感度の数値は、ユーザが入力装置３を用いて検出感度入力部１５に入力するようにしてもよいし、固定値としてもよい。ピークの検出は、従来と同様の方法を用いて行う。例えば、クロマトグラムが極大値を有するところや変曲点に仮ピークが存在すると仮定したうえで、仮ピークのＳ／Ｎ比が第１の検出感度（であるＳ／Ｎ比の数値）以上であれば当該仮ピークを実際のピークとして検出する。一方、仮ピークのＳ／Ｎ比が第１の検出感度未満であれば、当該仮ピークは実際のピークとして検出しない。なお、ステップＳ１におけるピークの検出は、作成されたクロマトグラムの全体に対して行ってもよいし、ユーザが入力装置３を用いて保持時間の範囲を指定したうえで当該範囲内だけで行ってもよい。検出されたピークは、例えば図３に示すように、ウインドウ２０でクロマトグラム表示部２１に表示されたクロマトグラム上で、ピークトップの位置に印や数値等を付すことで指し示す。なお、図３中の太い下向きの矢印は、後述の説明のために付したものであり、検出したピークを示すものではない。
【００２１】
次に、ステップＳ１で検出されたピークに基づいて、クロマトグラムのベースラインを決定する（ステップＳ２）。なお、このベースラインの決定は、本発明に係るデータ処理方法においては必須の操作ではないが、クロマトグラムのデータ処理では通常行われる操作である。ベースラインの決定は、従来と同様の方法を用いて行う。例えば、保持時間の経過に伴って、クロマトグラムの傾きの絶対値が所定値以上になるところをピークの開始点、ピークトップを過ぎて傾きの絶対値（傾きの値は負）が増加した後に減少して所定値以下になるところをピークの終了点とし、当該開始点と当該終了点を結ぶ直線をそれら２点間のベースラインと決定する。
【００２２】
続いて、ステップＳ１で検出されたピークのうち明らかに真のピークであるもの以外のピークについて、それらがショルダーピークであるか、ノイズ等のショルダーピーク以外のものであるかを判定する（ステップＳ３）。この判定は、本実施形態ではユーザが目視で行う。
【００２３】
次に、検出感度入力部１５は、ピークの検出感度を変更するか否かをユーザが入力装置３から入力可能な状態にする（ステップＳ４）。具体的には、例えば表示装置２の画面上に「検出感度を変更しますか？  Yes No」等と表示し、ユーザが入力装置３を用いて「Yes」又は「No」を選択する操作をするようにする。あるいは、表示装置２の画面上に検出感度の数値を入力するための入力欄を表示し、ユーザが入力装置３を用いて当該入力欄に数値を入力したときに検出感度を変更するようにしてもよい。この場合には、入力する数値によって、検出感度を高くすることも、低くすることもできる。なお、ステップＳ４において、検出感度を高くするか否（検出感度を変更しない）かという2つの選択肢、又は検出感度を低くするか否かという2つの選択肢を示してもよい。
【００２４】
図４に示したウインドウ２０では、クロマトグラム表示部２１の下に処理命令入力部２２が設けられており、以下のように、ユーザが処理命令入力部２２に検出感度の数値等を入力する。処理命令入力部２２には、「時間」、「処理命令」、「数値」の3つの欄があり、初期状態ではそれら3つのデータを入力するための入力欄が1組分表示されている（図３参照）。
【００２５】
時間欄には、データ処理を行う範囲の始点となる保持時間を入力する。処理命令欄は、複数種の処理命令から1つの処理命令をプルダウンメニューで選択できるようになっており、図４では検出感度を変更する命令である「NRLevel(Shoulder)=」を選択している。数値欄には、変更後の検出感度の数値を入力する。処理命令「NRLevel(Shoulder)=」について、始点の保持時間及び検出感度の数値の組み合わせが1組のみ入力された場合には、当該始点の保持時間以降の全範囲（これが「0」の場合には全保持時間）に亘って、当該検出感度で処理が行われる。一方、始点の保持時間及び検出感度の数値の組み合わせを複数組入力された場合には、入力された始点の保持時間に達する度に該保持時間と共に入力されている検出感度に切り替えてデータ処理が行われる。処理命令の欄において「NRLevel(Shoulder)=AUTO」を選択すると、始点の保持時間以降の検出感度は自動的に設定される（この場合には、数値欄には数値を入力する必要はない）。
【００２６】
ステップＳ４においてユーザがNoを選択した場合には、ステップＳ３の判定結果を確定版として、処理を終了する。一方、ステップＳ４においてユーザがYesを選択した場合には、第２の検出感度でクロマトグラムからピークの検出を行う（ステップＳ５）。第２の検出感度は、図４に示した例ではユーザが数値欄に入力した数値が該当するが、第２の検出感度の入力方法はこの例には限られない。第２の検出感度をユーザが入力する代わりに、固定値としてもよい。
【００２７】
続いて、第２の検出感度が第１の検出感度よりも高い（ステップＳ６においてYES）か低い（ステップＳ６においてNO）かにより、それぞれ以下の操作を行う。なお、ステップＳ６はショルダーピーク候補・除外候補抽出部１４が自動で行ってもよいし、ユーザが行ってもよい。
【００２８】
第２の検出感度が第１の検出感度よりも高い場合には、ショルダーピーク候補・除外候補抽出部１４は、ステップＳ１において第１の検出感度では検出されず且つステップＳ５において第２の検出感度で検出されたピークを抽出する（ステップＳ７−１）。このステップは、ショルダーピーク候補・除外候補抽出部１４において自動的に行ってもよいし、ショルダーピーク候補・除外候補抽出部１４がステップＳ１及びＳ５における2つの検出結果をウインドウ２０上に表示したうえで、第２の検出感度で検出されたピークからユーザがショルダーピーク候補を抽出するようにしてもよい。後者のように最終的にユーザがショルダーピーク候補を抽出することは、2つの検出結果を見比べれば容易に行うことができ、また、次に述べる判定の作業を同時に行うことができる、という意義がある。図３及び図４に示した例では、それら図中に太い矢印で指し示したところに、図３では数値等が表示されていないのに対して、図４では数値及び細い矢印が表示されている。これは、第１の検出感度（図３）では検出されずに第２の検出感度（図４）では検出されたピークが存在することを意味する。このピークは、クロマトグラムでは、図５(b)に示した例と同様にうねりとなって現れている。
【００２９】
一方、第２の検出感度が第１の検出感度よりも低い場合には、ショルダーピーク候補・除外候補抽出部１４は、ステップＳ１において第１の検出感度では検出され且つステップＳ５において第２の検出感度で検出されなかったピークを抽出する（ステップＳ７−２）。このステップも自動的に行ってもよいし、ウインドウ２０上に表示された検出結果に基づいてユーザが行ってもよい。
【００３０】
ステップＳ７−１又はステップＳ７−２の操作の後、ステップＳ８において、ショルダーピーク候補・除外候補抽出部１４で抽出されたピークがショルダーピークであるか、ノイズ等のショルダーピーク以外のものであるかを判定する。この判定はステップＳ３と同様に、本実施形態ではユーザが目視で行う。以上の操作により、本実施形態のピーク検出方法が終了する。
【００３１】
本発明は上記実施形態には限定されず、本発明の趣旨の範囲内で適宜変形することができる。
【符号の説明】
【００３２】
１…データ記録部
２…表示装置
３…入力装置
１０…データ処理装置
１１…クロマトグラム作成部
１２…第１ピーク検出部
１３…第２ピーク検出部
１４…ショルダーピーク候補・除外候補抽出部
１５…検出感度入力部
２０…表示装置に表示されるウインドウ
２１…クロマトグラム表示部
２２…処理命令入力部
９１…プロファイルのうねり
【図１】
2017168682.tif 000003
【図２】
2017168682.tif 000004
【図３】
2017168682.tif 000005
【図４】
2017168682.tif 000006
【図５】
2017168682.tif 000007
【国際調査報告】
2017168682.tif 000008
2017168682.tif 000009
2017168682.tif 000010
2017168682.tif 000011